(57)【要約】【課題】１つの投写面上に複数の画像を隣接して投写することにより、複数の画像を１つの投写画像として表示する場合に、投写表示された画像の色の均一性を向上させる。【解決手段】１つの投写面上に複数の画像を隣接して投写することにより、前記複数の画像を１つの投写画像として表示する投写表示システムは、前記複数の画像を前記投写面上で隣接して表示するように投写する複数台の投写表示用プロジェクタと、前記各投写表示用プロジェクタが、それぞれ、所定の均一な色の画像を投写した場合に、前記投写画像として表示された画像中に発生する不均一な色の分布を補正して均一な色の分布とするための色補正用画像を、前記投写画像として表示される画像に重ね合わせて投写する色補正用プロジェクタと、を備える。【選択図】図１
2007251294.tif 000002
【特許請求の範囲】
【請求項１】
１つの投写面上に複数の画像を隣接して投写することにより、前記複数の画像を１つの投写画像として表示する投写表示システムであって、
前記複数の画像を前記投写面上で隣接して表示するように投写する複数台の投写表示用プロジェクタと、
前記各投写表示用プロジェクタが、それぞれ、所定の均一な色の画像を投写した場合に、前記投写画像として表示された画像中に発生する不均一な色の分布を補正して均一な色の分布とするための色補正用画像を、前記投写画像として表示される画像に重ね合わせて投写する色補正用プロジェクタと、
を備えることを特徴とする投写表示システム。
【請求項２】
請求項１記載の投写表示システムであって、
前記色補正用プロジェクタは、
前記各投写表示用プロジェクタが、それぞれ、前記所定の均一な色の画像を投写した場合に、前記投写画像として表示された画像中に発生する不均一な色の分布に関する情報を取得し、取得した前記情報に基づいて、前記色補正用画像を表す色補正用画像データを生成する色補正用画像データ生成部と、
前記色補正用画像データを記憶する色補正用画像データ記憶部と、
を備えることを特徴とする投写表示システム。
【請求項３】
請求項２記載の投写表示システムであって、
前記色補正用プロジェクタは、さらに、
前記投写画像として表示された画像を撮像して、投写画像撮像データを取得するイメージセンサ部を備えており、
前記色補正用画像データ生成部は、前記各投写表示用プロジェクタが、それぞれ、前記所定の均一な色の画像を投写した場合に、前記イメージセンサ部で前記投写画像撮像データを取得し、取得した前記投写画像撮像データを前記不均一な色の分布に関する情報として用いて、前記色補正用画像データを生成する、
ことを特徴とする投写表示システム。
【請求項４】
請求項２記載の投写表示システムであって、
前記各投写表示用プロジェクタが、それぞれ、前記所定の均一な色の画像を投写した場合に、表示されたそれぞれの画像に発生する所定の均一な色に対する色のずれに関する情報を備えており、
前記色補正用画像データ生成部は、前記各投写表示用プロジェクタから、前記色のずれに関する情報を取得し、前記各投写表示用プロジェクタから取得した前記色のずれに関する情報を前記不均一な色の分布に関する情報として用いて、前記色補正用画像データを生成する、
ことを特徴とする投写表示システム。
【請求項５】
１つの投写面上に複数の画像を隣接して投写することにより、前記複数の画像を１つの投写画像として表示する投写表示方法であって、
前記複数の画像を前記投写面上で隣接して表示するように投写し、
所定の均一な色の画像を前記投写画像として投写した場合に、前記投写画像として表示された画像中に発生する不均一な色の分布を補正して均一な色の分布とするための色補正用画像を、前記投写画像として表示される画像に重ね合わせて投写する、
ことを特徴とする投写表示方法。
【発明の詳細な説明】
【技術分野】
【０００１】
本発明は、１つの投写面上に複数の画像を隣接して投写することにより、複数の画像を１つの投写画像として表示する技術に関する。
【背景技術】
【０００２】
複数台のプロジェクタを用いて、１つの投写面上に複数の画像を隣接して投写することにより、複数の画像を１つの投写画像として表示する投写表示システムが普及しつつある（例えば、特許文献１，２参照。）。
【０００３】
【特許文献１】特開２００２−２０７２４７号公報
【特許文献２】特開２００５−２７４８１６号公報
【０００４】
しかしながら、一般に、プロジェクタは、装置ごとに、それぞれ発色特性が異なっており、均一な色の画像を表示させた場合に、それぞれ、異なった色の画像を表示する。例えば、均一な白色のベタ画像（以下、「白色画像」と呼ぶ。）を表示させた場合に、あるプロジェクタは全体に青味の強い白色画像を表示し、また、別のプロジェクタは全体に赤味の強い白色画像を表示する。従って、上記のような投写表示システムにおいて、仮に、複数のプロジェクタで、それぞれ、同じ画像を投写表示した場合には、それぞれの発色の違いに基づいて、それぞれ異なった色の画像が表示されることになる。また、１つの画像を複数に分割して複数のプロジェクタで投写表示させた場合において、本来１つの画像が表示されているように見えることが好ましいが、実際には、複数の異なった画像が表示されているように見えてしまう場合もある。
【発明の開示】
【発明が解決しようとする課題】
【０００５】
本発明は、上述の課題を解決するためになされたものであり、１つの投写面上に複数の画像を隣接して投写することにより、複数の画像を１つの投写画像として表示する場合に、投写表示された画像の色の均一性を向上させることが可能な技術を提供することを目的とする。
【課題を解決するための手段】
【０００６】
上述の課題の少なくとも一部を解決するため、本発明の態様は、
１つの投写面上に複数の画像を隣接して投写することにより、前記複数の画像を１つの投写画像として表示する投写表示システムであって、
前記複数の画像を前記投写面上で隣接して表示するように投写する複数台の投写表示用プロジェクタと、
前記各投写表示用プロジェクタが、それぞれ、所定の均一な色の画像を投写した場合に、前記投写画像として表示された画像中に発生する不均一な色の分布を補正して均一な色の分布とするための色補正用画像を、前記投写画像として表示される画像に重ね合わせて投写する色補正用プロジェクタと、
を備えることを特徴とする。
【０００７】
上記投写表示システムによれば、色補正用プロジェクタが、所定の均一な色の画像を投写画像として投写表示した場合に、投写画像中に発生する不均一な色の分布を補正して均一な色の分布とするための色補正用画像を、投写画像として表示される画像に重ね合わせて投写するので、投写画像の色の均一性を向上させることが可能である。
【０００８】
ここで、上記投写表示システムにおいて、
前記色補正用プロジェクタは、
前記各投写表示用プロジェクタが、それぞれ、前記所定の均一な色の画像を投写した場合に、前記投写画像として表示された画像中に発生する不均一な色の分布に関する情報を取得し、取得した前記情報に基づいて、前記色補正用画像を表す色補正用画像データを生成する色補正用画像データ生成部と、
前記色補正用画像データを記憶する色補正用画像データ記憶部と、
を備えることにより構成することができる。
【０００９】
このようにすれば、あらかじめ、所定の均一な色の画像を前記投写画像として投写表示した場合に、投写画像中に発生する不均一な色の分布に関する情報を取得し、取得した情報に基づいて、色補正用画像を表す色補正用画像データを生成し、生成した色補正用画像データを色補正用画像データ記憶部で記憶しておくことができる。そして、色補正用画像データ記憶部に記憶された色補正用画像データの表す色補正用画像を投写することにより、容易に、投写画像の色の均一性を向上させることが可能である。
【００１０】
なお、上記のように、色補正用プロジェクタが、色補正用画像データ生成部と、色補正用画像データ記憶部と、を備える投写表示システムにおいて、色補正用プロジェクタは、さらに、
前記投写画像として表示された画像を撮像して、投写画像撮像データを取得するイメージセンサ部を備えており、
前記色補正用画像データ生成部は、前記各投写表示用プロジェクタが、それぞれ、前記所定の均一な色の画像を投写した場合に、前記イメージセンサ部で前記投写画像撮像データを取得し、取得した前記投写画像撮像データを前記不均一な色の分布に関する情報として用いて、前記色補正用画像データを生成するようにしてもよい。
【００１１】
このようにすれば、容易に色補正用画像データを生成することができる。
【００１２】
また、上記のように、色補正用プロジェクタが、色補正用画像データ生成部と、色補正用画像データ記憶部と、を備える投写表示システムにおいて、
前記各投写表示用プロジェクタが、それぞれ、前記所定の均一な色の画像を投写した場合に、表示されたそれぞれの画像に発生する所定の均一な色に対する色のずれに関する情報を備えており、
前記色補正用画像データ生成部は、前記各投写表示用プロジェクタから、前記色のずれに関する情報を取得し、前記各投写表示用プロジェクタから取得した前記色のずれに関する情報を前記不均一な色の分布に関する情報として用いて、前記色補正用画像データを生成するようにしてもよい。
【００１３】
このようにしても、容易に色補正用画像データを生成することができる。
【００１４】
なお、本発明は、上記した投写表示システムとしての態様に限ることなく、投写表示方法としての態様、等、種々の態様で実現することも可能である。
【発明を実施するための最良の形態】
【００１５】
以下では、本発明の実施の形態を実施例に基づいて以下の手順で説明する。
Ａ．第１実施例：
Ａ１．投写表示システムの構成および動作：
Ａ２．色補正用プロジェクタの構成および動作：
Ａ３．実施例の効果：
Ｂ．第２実施例：
Ｂ１，色補正用プロジェクタの構成および動作：
Ｂ２．実施例の効果：
Ｃ．変形例：
【００１６】
Ａ．第１実施例：
Ａ１．投写表示システムの構成および動作：
図１は、本発明の第１実施例としての投写表示システムの構成を示す説明図である。この投写表示システムは、２台の投写表示用プロジェクタ１００Ａ，１００Ｂと、色補正用プロジェクタ２００と、を備えている。この投写表示システムは、紙面に向かって左側の投写表示用プロジェクタ１００ＡがスクリーンＳＣ上に投写する左側の画像（以下、「左側投写画像」とも呼ぶ。）ＰＪＰＬと、紙面に向かって右側の投写表示用プロジェクタ１００ＢがスクリーンＳＣ上に投写する右側の画像（以下、「右側投写画像」とも呼ぶ。）ＰＪＰＲとで、１つの投写画像ＰＪＰをスクリーンＳＣ上に投写するシステムである。なお、２台の投写表示用プロジェクタ１００Ａ，１００Ｂには、図示しない画像供給装置から画像データが供給され、対応する画像が投写表示される。また、色補正用プロジェクタ２００は、投写画像ＰＪＰに重ね合わせて色補正用画像ＰＪＣを投写する。なお、図１において、投写画像ＰＪＰの枠を示す実線、左側投写画像ＰＪＰＬおよび右側投写画像ＰＪＰＲの枠を示す破線、色補正用画像ＰＪＣの枠を示す二点鎖線は、図をわかりやすくするために、ずらして示しているが、実際には重なっている。
【００１７】
図２は、第１実施例としての投写表示システムにおける色補正について示す説明図である。図２は、説明を判りやすくするため、２台の投写表示用プロジェクタ１００Ａ，１００Ｂが、投写画像ＰＪＰを構成する左側投写画像ＰＪＰＬおよび右側投写画像ＰＪＰＲとして白色画像を投写する場合を例に示している。
【００１８】
図２（Ａ）は、補正前の投写画像、すなわち、２台の投写表示用プロジェクタ１００Ａ，１００Ｂによる投写画像ＰＪＰを示している。また、図２（Ｂ）は、色補正用プロジェクタ２００による色補正用画像ＰＪＣを示している。そして、図３（Ｃ）は、補正後の投写画像、すなわち、図２（Ａ）の投写画像ＰＪＰに、図２（Ｂ）の色補正用画像ＰＪＣを重ねて合わせて投写した場合の画像（以下、「補正後投写画像」とも呼ぶ。）ＰＪＰＣを示している。
【００１９】
ここで、図２（Ａ）に示すように、スクリーンＳＣ上に投写表示される左側投写画像ＰＪＰＬは青味がかった白色画像ＰＪＰＬ（ＷＢ）であり、右側投写画像ＰＪＰＲは赤味がかった白色画像ＰＪＰＲ（ＷＲ）であるとする。
【００２０】
このとき、図２（Ｂ）に示すように、色補正用画像ＰＪＣとして、左側投写画像ＰＪＰＬに重ね合わせる部分を、青味がかった白色画像ＰＪＰＬ（ＷＢ）が白色画像となるように、赤緑色画像ＰＪＣＬ（ＷＲＧ）とするとともに、右側投写画像ＰＪＰＲに重ね合わせる部分を、赤味がかった白色画像ＰＪＰＲ（ＷＲ）が白色画像となるように、青緑色画像ＰＪＣＲ（ＷＢＧ）とした画像を用意する。
【００２１】
そして、図２（Ａ）に示す投写画像ＰＪＰに重ね合わせて図２（Ｂ）に示す色補正用画像ＰＪＣを投写する。この結果、図２（Ｃ）に示すように、補正後投写画像ＰＪＰＣの左側の部分を白色画像ＰＪＰＣＬ（Ｗ）とし、右側の部分も白色画像ＰＪＰＣＲ（Ｗ）とることができるので、補正後投写画像ＰＪＰＣの全体を均一な白色画像ＰＪＰＣ（Ｗ）とすることができ、投写画像の色の均一性を向上させることが可能となる。
【００２２】
なお、図２の説明では、説明を判りやすくするために、投写画像ＰＪＰとして白色画像を投写した場合を例にしているが、他の投写画像の場合においても、白色画像に対応する色補正用画像ＰＪＣを重ね合わせて投写することにより、同様に、投写画像の色の均一性を向上させることが可能である。
【００２３】
また、図２の説明では、説明を判りやすくするために、左側投写画像ＰＪＰＬ内および右側投写画像ＰＪＰＲ内においては、それぞれ、全体に均一な色であることとして説明しているが、左側投写画像ＰＪＰＬ内および右側投写画像ＰＪＰＲ内においても不均一な色の分布を有している場合にも適用可能である。この場合には、左側投写画像ＰＪＰＬと右側投写画像ＰＪＰＲとの間で発生する不均一な色の分布が均一な色の分布となるようにするとともに、左側投写画像ＰＪＰＬ内および右側投写画像ＰＪＰＲ内においてそれぞれ発生する不均一な色の分布が均一な色の分布となるようにする色補正用画像ＰＪＣを、重ね合わせて投写するようにすればよい。
【００２４】
Ａ２．色補正用プロジェクタの構成および動作：
図３は、色補正用プロジェクタの概略構成を示す説明図である。この色補正用プロジェクタ２００は画像処理部２１０と、ライトバルブ駆動部２２０と、液晶ライトバルブ２３０と、イメージセンサ部２４０と、色補正用画像データ生成部２５０と、色補正用画像データ記憶部２６０と、を備えている。また、色補正用プロジェクタ２００は、液晶ライトバルブ２３０を照明するための照明装置２７０と、液晶ライトバルブ２３０から射出される変調光（以下、「画像光」と呼ぶ場合もある。）の表す画像をスクリーンＳＣ上に投写するための投写光学系２８０と、を備えている。
【００２５】
ユーザが、例えば、図示しない色補正実行ボタンを押すことにより、色補正動作の実行が指示されて、以下で説明するように、色補正用画像データ記憶部２６０、画像処理部２１０、ライトバルブ駆動部２２０、液晶ライトバルブ２３０、照明装置２７０、および、投写光学系２８０が動作して、色補正用画像ＰＪＣを投写画像ＰＪＰに重ね合わせて投写する。
【００２６】
画像処理部２１０は、色補正用画像データ記憶部２６０に記憶されている色補正用画像データを読み出して種々の画像処理を実行し、画像処理後の画像データをライトバルブ駆動部２２０に供給可能な画像信号として出力する。
【００２７】
ライトバルブ駆動部２２０は、画像処理部２１０から入力される画像データに基づいて、液晶ライトバルブ２３０を駆動する。
【００２８】
液晶ライトバルブ２３０は、照明装置２７０から射出された照明光を、ライトバルブ駆動部２２０から供給された駆動信号に基づいて変調する。
【００２９】
投写光学系２８０は、液晶ライトバルブ２３０で変調された変調光を、スクリーンＳＣ上で結像させて、画像を投写する。
【００３０】
そして、ユーザが、例えば、図示しない色調整ボタンを押すことにより、色調整動作の実行が指示されて、以下で説明するように、イメージセンサ部２４０、色補正用画像データ生成部２５０、および、色補正用画像データ記憶部２６０が動作して、投写画像ＰＪＰの不均一な色の分布を補正することが可能な色補正用画像ＰＪＣを表す色補正用画像データを生成する。
【００３１】
色補正用画像データ生成部２５０は、イメージセンサ部２４０を制御して、スクリーンＳＣ上に投写される投写画像ＰＪＰを撮像し、撮像結果である投写画像撮像データを取得する。なお、この色調整を実行する場合には、２台の投写表示用プロジェクタ１００Ａ，１００Ｂにより、あらかじめ、所定の均一な色の画像、例えば、白色画像を、投写画像ＰＪＰとして投写させておく。
【００３２】
そして、色補正用画像データ生成部２５０は、取得した投写画像撮像データを解析して色の分布を調べ、これに基づいて、投写画像を均一な色の画像とするために、重ね合わせるべき色補正用画像データを生成する。
【００３３】
色補正用画像データ記憶部２６０は、色補正用画像データ生成部２５０が生成した色補正用画像データを記憶する。また、色補正用画像データ記憶部２６０は、後述するように、画像処理部２１０からの読み出し指示に従って、記憶している色補正用画像データを読み出して、画像処理部２１０に出力する。なお、色補正用画像データ記憶部２６０に記憶される色補正用画像データは、液晶ライトバルブの全画素のデータを有するビットマップ形式の画像データである。
【００３４】
Ａ３．実施例の効果：
以上説明したように、本実施例の投写表示システムでは、２台の投写表示用プロジェクタ１００Ａ，１００Ｂから所定の均一な色の画像を投写した場合に、投写画像ＰＪＰに発生する不均一な色の分布を補正して均一な色の画像となるような色補正用画像ＰＪＣを、色補正用プロジェクタ２００から投写画像ＰＪＰに重ねて投写することができるので、左側の投写表示用プロジェクタ１００Ａが投写する左側投写画像ＰＪＰＬと右側の投写表示用プロジェクタ１００Ｂが投写する右側投写画像ＰＪＰＲとの間で発生する不均一な色の分布や、左側投写画像ＰＪＰ内あるいは右側投写画像ＰＪＰＲ内で発生する不均一な色の分布を抑制し、投写画像全体の色の均一性を向上させることが可能である。
【００３５】
Ｂ．第２実施例：
第２実施例としての投写表示システムは、第１実施例としての投写表示システムにおける色補正用プロジェクタ２００を、以下で説明する色補正用プロジェクタ３００に置き換えたものである。なお、第２実施例としての投写表示システムにおける色補正動作は、第１実施例の場合と同じであるので、ここではその説明を省略する。
【００３６】
Ｂ１．色補正用プロジェクタの構成および動作：
図４は、第２実施例における色補正用プロジェクタ３００の概略構成を示す説明図である。この色補正用プロジェクタ３００は、第１実施例における色補正用プロジェクタ２００のイメージセンサ部２４０を省略し、色補正用画像データ生成部２５０を色補正用画像データ生成部３５０に置き換えている点、および、この色補正用画像データ生成部３５０が２台の投写表示用プロジェクタ１００Ａ，１００Ｂの色補正データ記憶部１１０Ａ，１１０Ｂに記憶されている色補正データに基づいて、色補正用画像データを生成する点、を除いて、第１実施例における色補正用プロジェクタ２００と同じである。すなわち、色補正画像データの生成方法のみが第１実施例の色補正用プロジェクタ２００と異なっているので、以下では、色補正用画像データ生成部３５０によって実行される色補正用画像データの生成について説明する。
【００３７】
２台の投写表示用プロジェクタ１００Ａ，１００Ｂの色補正データ記憶部１１０Ａ，１１０Ｂに記憶されている色補正データには、それぞれのプロジェクタが、所定の均一な色の画像（ここでは、白色画像とする。）を投写した場合に、その所定の均一な色に対する実際の投写画像の色のずれを示すデータ、あるいは、投写画像の色をその所定の均一な色に補正するために必要な補正量を示すデータや、その投写画像内における不均一な色の分布を示すデータが含まれている。
【００３８】
色補正用画像データ生成部３５０は、２台の投写表示用プロジェクタ１００Ａ，１００Ｂから、図示しない通信インタフェース、例えば、ＵＳＢ，ＲＳ２３２Ｃ，ＬＡＮ等を介して、それぞれの色補正データを取得することができる。
【００３９】
そして、色補正用画像データ生成部３５０は、取得した色補正データに基づいて、投写画像を均一な色の画像とするために、重ね合わせるべき色補正用画像データを生成することができる。
【００４０】
Ｂ２．実施例の効果：
以上説明したように、本実施例の投写表示システムにおいても、２台の投写表示用プロジェクタ１００Ａ，１００Ｂから所定の均一な色の画像を投写した場合に、投写画像ＰＪＰに発生する不均一な色の分布を補正して均一な色の画像となるような色補正用画像ＰＪＣを、色補正用プロジェクタ３００から投写画像ＰＪＰに重ねて投写することができるので、左側の投写表示用プロジェクタ１００Ａが投写する左側投写画像ＰＪＰＬと右側の投写表示用プロジェクタ１００Ｂが投写する右側投写画像ＰＪＰＲとの間で発生する不均一な色の分布や、左側投写画像ＰＪＰ内あるいは右側投写画像ＰＪＰＲ内で発生する不均一な色の分布を抑制し、投写画像全体の色の均一性を向上させることが可能である。
【００４１】
Ｃ．変形例：
なお、この発明は上記の実施例や実施形態に限られるものではなく、その要旨を逸脱しない範囲において種々の態様において実施することが可能であり、例えば次のような変形も可能である。
【００４２】
（１）上記実施例の色補正用画像データは、液晶ライトバルブの全画素のデータを有するビットマップ形式の画像データであるとして説明しているが、これに限定されるものではなく、左側投写画像と右側投写画像との間の不均一な色の分布（色のずれ）や、左側投写画像および右側投写画像内における不均一な色の分布を補正するための色補正用画像データを表すことができれば、どのような形式であってもよい。ただし、実施例以外のデータ形式の場合には、画像処理部２１０において、色補正用画像データ記憶部２６０から読み出した色補正用画像データを、液晶ライトバルブ２３０の全画素に対応するビットマップ形式の画像データに変換する処理が必要となる。
【００４３】
例えば、液晶ライトバルブ２３０の全画素のデータを有するビットマップ形式の画像データを圧縮した画像データの形式であってもよい。ただし、この場合には、画像処理部２１０における画像処理において圧縮されていない画像データに展開する処理が必要である。また、液晶ライトバルブの全画素のデータのうち、代表的な画素のデータのみを有している画像データの形式であってもよい。ただし、この場合には、画像処理部２１０において、代表的な画素のデータに基づいて、代表的な画像の間の画素を補間する処理が必要である。また、同じ色の領域ごとに、その領域を示す領域座標データと色のデータとで構成される画像データの形式であってもよい。ただし、この場合には、液晶ライトバルブ２３０の全画素のデータを有するビットマップ形式の画像データに展開する処理が必要である。
【００４４】
（２）上記実施例では、色補正画像データを生成するための基準となる所定の均一な色の画像を用い、投写画像ＰＪＰに色補正用画像ＰＪＣを重ね合わせた場合の投写画像（補正後投写画像）ＰＪＰＣが、所定の均一な色の画像となるように、色補正画像ＰＪＣを表す色補正用画像データを生成する場合を例に説明しているが、これに限定されるものではない。例えば、２台の投写表示用プロジェクタが投写した一方の画像の色が他方の画像の色と同じになるように色補正用画像データを生成するようにしてもよい。また、投写画像の色が、基準となる所定の均一な色の画像とは異なる均一な色の画像となるように色補正画像データを生成するようにしてもよい。ようするに、２台の投写表示用プロジェクタが投写した画像の間で不均一な色の分布が発生しないような色補正画像データを生成するようにすればよい。
【００４５】
（３）上記実施例では、所定の均一な色の画像として白色画像を例に説明しているが、これに限定されるものではなく、赤色画像や、青色画像、緑色画像などの種々の単色の画像を利用することができる。また、単色画像の輝度を変化させた中間調の画像を利用することも可能である。
【００４６】
（４）上記実施例では、２台の投写表示用プロジェクタにより１つの投写画像を表示する場合を例に説明したが、これに限定されるものではなく、複数台の投写表示用プロジェクタにより１つの投写画像を表示する場合にも適用可能である。
【００４７】
（５）また、上記第１実施例では、投写画像ＰＪＰを撮像した投写画像撮像データを取得し、投写画像撮像データを解析して色の分布を調べ、これに基づいて色補正用画像データを生成する場合を例に説明し、上記第２実施例では、投写表示用プロジェクタに記憶されている色補正データを取得し、これに基づいて色補正用画像データを生成する場合を例に説明しているが、これに限定されるものではなく、色補正用画像データを生成することができればどのような方法であってもよい。例えば、色を補正する領域を指定する仕組みを用意し、ユーザが、指定した領域の色データを手動で変化させて、投写画像中で不均一な色の分布がなくなる状態を探すことにより色補正用画像データを生成するようにしてもよい。
【図面の簡単な説明】
【００４８】
【図１】本発明の第１実施例としての投写表示システムの構成を示す説明図である。
【図２】第１実施例としての投写表示システムにおける色補正について示す説明図である。
【図３】色補正用プロジェクタの概略構成を示す説明図である。
【図４】第２実施例における色補正用プロジェクタ３００の概略構成を示す説明図である。
【符号の説明】
【００４９】
１００Ａ…投写表示用プロジェクタ
１００Ｂ…投写表示用プロジェクタ
１１０Ａ…色補正データ記憶部
１１０Ｂ…色補正データ記憶部
２００…色補正用プロジェクタ
２１０…画像処理部
２２０…ライトバルブ駆動部
２３０…液晶ライトバルブ
２４０…イメージセンサ部
２５０…色補正用画像データ生成部
２６０…色補正用画像データ記憶部
２７０…照明装置
２８０…投写光学系
３００…色補正用プロジェクタ
３５０…色補正用画像データ生成部
ＳＣ…スクリーン
【図１】
2007251294.tif 000003
【図２】
2007251294.tif 000004
【図３】
2007251294.tif 000005
【図４】
2007251294.tif 000006